【手続補正書】
【提出日】令和1年12月6日(2019.12.6)
【手続補正１】
【補正対象書類名】明細書
【補正対象項目名】００３４
【補正方法】変更
【補正の内容】
【００３４】
本開示を詳細に説明してきたが、添付の請求項によって画定されたような本開示の本質及び範囲から逸脱することなく、本明細書において、さまざまな変更、置換、及び代替がなされ得ることが理解されるべきである。本出願は、特定の実施形態を説明している。
以下に実施形態を列挙する。
[実施形態１]
廃棄物流から材料を分離及び回収するための分離機であって、
ａ．撹拌機と、前記廃棄物流を受け入れるための入口と、を有するサイクロンと、
ｂ．媒体の流れ、または前記媒体の脈動する流れと、
ｃ．軽質留分を収集するための第１の排出通路と、
ｄ．重質留分を収集するための第２の排出通路と、を備える、分離機。
[実施形態２]
ａ．脱水装置と、
ｂ．スクリューコンベヤと、をさらに備える、実施形態１に記載の分離機。
[実施形態３]
前記サイクロンが、前記サイクロンの底に沿ってスクリーンを有する、実施形態１に記載の分離機。
[実施形態４]
前記脱水装置が、脱水スクリーンである、実施形態１に記載の分離機。
[実施形態５]
前記脱水装置が、脱水コンベヤ、スクリューコンベヤ、またはバケットエレベータである、実施形態１に記載の分離機。
[実施形態６]
前記スクリーンが、中心軸周辺にメッシュ面を有し、前記メッシュ面間の回転角度が、４０〜７０度で調整可能である、実施形態２に記載の分離機。
[実施形態７]
細粒分を収集するための第３の排出通路をさらに備える、実施形態１に記載の分離機。
[実施形態８]
前記第２の通路が、前記第３の通路の上方にある、実施形態７に記載の分離機。
[実施形態９]
前記媒体が水である、実施形態１に記載の分離機。
[実施形態１０]
前記媒体が、土、砂、ガラス微粉、含鉄微粉、及びそれらの組み合わせを有する、実施形態９に記載の分離機。
[実施形態１１]
前記媒体が、約１．６ＳＧ以上の比重を有する、実施形態１に記載の分離機。
[実施形態１２]
前記媒体が、約１．１〜約３の比重を有する、実施形態１に記載の分離機。
[実施形態１３
前記媒体が、エアオーバウォータチャンバによって脈動する、実施形態１に記載の分離機。
[実施形態１４]
廃棄物流から材料を分離及び回収するための方法であって、
ａ．約１．０〜３の比重を有する媒体を有する分離機に前記材料を供給することであって、前記分離機が、その内部において遠心運動及び垂直運動を有する、供給することと、
ｂ．前記比重を発生させるために、前記分離機に媒体を流し込むことと、
ｃ．前記媒体の上方流れを発生させることと、
ｄ．前記媒体の下方流れを発生させることと、
ｅ．前記分離機の上部に浮遊する軽質材料を収集することと、
ｆ．前記分離機の底部を通して重質材料を収集することと、を含む、方法。
[実施形態１５]
前記分離機に供給される前記材料を低減及び分類することをさらに含む、実施形態１４に記載の方法。
[実施形態１６]
前記媒体が水である、実施形態１４に記載の方法。
[実施形態１７]
前記媒体が、土、砂、ガラス微粉、含鉄微粉、及びそれらの組み合わせを有する、実施形態１４に記載の方法。
[実施形態１８]
前記媒体が、１．６ＳＧ以上の比重を有する、実施形態１５に記載の方法。
[実施形態１９]
前記媒体が、約１．１〜約３の比重を有する、実施形態１に記載の分離機。
[実施形態２０]
前記材料が、破砕されたか、またはサイズが低減された固体廃棄物または廃棄物流である、実施形態１５に記載の方法。
[実施形態２１]
前記材料が、自動車破砕残渣を含む粒子状固体の不均質な混合物である、実施形態１４に記載の材料。
[実施形態２２]
前記材料が、圧縮されたか、破砕されたか、またはサイズが低減された都市ごみを含む粒子状固体の不均質な混合物である、実施形態１４に記載の方法。
[実施形態２３]
前記材料が、圧縮されたか、破砕されたか、またはサイズが低減された建設／解体廃棄物を含む粒子状固体の不均質な混合物である、実施形態１４に記載の方法。
[実施形態２４]
前記材料が、圧縮されたか、破砕されたか、またはサイズが低減された焼却炉灰を含む粒子状固体の不均質な混合物である、実施形態１３に記載の方法。
[実施形態２５]
廃棄物流から材料を分離及び回収するための方法であって、
ａ．内部における遠心運動、上方運動、及び下方運動を有する容器を提供することと、
ｂ．前記容器内に約１〜約３の比重を有する媒体を提供することであって、前記媒体が脈動される、提供することと、
ｃ．前記容器から前記材料の留分を収集することと、を含む、方法。
【手続補正２】
【補正対象書類名】特許請求の範囲
【補正対象項目名】全文
【補正方法】変更
【補正の内容】
【特許請求の範囲】
【請求項１】
廃棄物流から材料を分離及び回収するための分離機であって、
廃棄物流源と、
インペラ、供給シュート、および媒体を受け入れるための入口を有するサイクロンであって、該サイクロンは上部セクションと円錐形の底セクションとを有し、前記入口は前記円錐形の底セクション内にあり、前記廃棄物流は前記供給シュートを通して当該サイクロンに進入し、前記インペラは当該サイクロンの軸周辺に第1方向に回転する、サイクロンと、
１．１〜３．０の比重を有する媒体源であって、前記媒体は、媒体の流れまたは前記媒体の脈動流として前記入口を通して前記円錐形の底セクションに進入し、前記媒体源は前記入口を通して前記サイクロンに流体接続し前記サイクロン内で上方流れを発生させる、媒体源と、
軽質留分を収集するための第１の排出通路と、
重質留分を収集するための第２の排出通路と、を備える、分離機。
【請求項２】
廃棄物流から材料を分離及び回収するための分離機であって、
廃棄物流源と、
インペラおよび媒体を受け入れるための入口を有するサイクロンであって、該サイクロンは円筒形の上部セクションと円錐形の底セクションとを有し、前記入口は前記円錐形の底セクション内にあり、供給シュートは前記円筒形の上部セクションに接続され、前記廃棄物流は前記供給シュートを通して当該サイクロンに進入し、前記インペラは当該サイクロンの軸周辺に第1方向に回転する、サイクロンと、
１．１〜３．０の比重を有する媒体源であって、当該媒体は、媒体の流れまたは前記媒体の脈動流として前記入口を通して前記円錐形の底セクションに進入し、前記媒体源は前記入口を通して前記サイクロンに流体接続し前記サイクロン内で上方流れを発生させる、媒体源と、
軽質留分を収集するための第１の排出通路と、
重質留分を収集するための第２の排出通路と、を備える、分離機。
【請求項３】
廃棄物流から材料を分離及び回収するための方法であって、
約１．１〜３の比重を有する媒体を有する分離機に前記材料を供給することであって、前記分離機が、その内部において遠心運動及び垂直運動を有する、供給することと、
前記比重を発生させるために、前記分離機に媒体を流し込むことであって、前記分離器は、円筒形の上部セクションと円錐形の底セクションとを有するサイクロンを有し、該サイクロンは前記遠心運動を発生させるインペラを有する、流し込むことと、
前記媒体の上方流れを発生させることであって、入口を通る前記媒体の上方流れが前記媒体の上方流れ及び垂直運動を発生させる、発生させることと、
前記媒体の下方流れを発生させることと、
前記分離機の底部を通して重質材料を収集することと、を含む、方法。